(57)【要約】      （修正有）【課題】赤外線放射効果を簡便に享受することができるヘアドライヤーを提供する。【解決手段】吸入口から送風口に向けて空気の流れを形成する送風源と、流れる空気を加熱する熱源と、送風口に向けて放熱する遠赤外線放射源と、送風源および熱源、赤外線放射源の動作パターンを選択するモード選択スイッチ３０を備える。操作スイッチを「ＬＯＷ」モードもしくは「ＨＩＧＨ」モードの位置に切り替えると、熱量と風量のみＯＮとなり赤外線照射はＯＦＦとなる通常のドライヤーとして使用することができ、「ＳＫＩＮ」モードの位置に切り替えると、ハロゲンランプがＯＮとなり赤外線放射が開始する。熱量はＯＦＦとなり風量はＯＮのままであるがＬＯＷモードのときよりさらに弱い微弱な風量となる。【選択図】図１
0003203509.tif 000002
【実用新案登録請求の範囲】
【請求項１】
吸入口から送風口に向けて空気の流れを形成する送風源と、
前記吸入口から前記送風口に向けて流れる空気を加熱する熱源と、
前記送風口に向けて放熱する遠赤外線放射源と、
前記送風源および前記熱源、前記赤外線放射源の動作パターンを選択するモード選択スイッチを備えることを特徴とする、
ヘアドライヤー。
【請求項２】
前記モード選択スイッチが、前記送風源および前記熱源のみの動作パターンを選択する第１のモードと、前記前記送風源および前記熱源、前記赤外線放射源の動作パターンを選択する第２のモードを備えることを特徴とする、
請求項１に記載のヘアドライヤー。
【請求項３】
前記赤外線放射源が、前記第１のモードにおいて通電がＯＦＦとなり、前記第２のモードにおいて通電がＯＮとなることを特徴とする、
請求項２に記載のヘアドライヤー。
【請求項４】
前記第２のモードにおいて選択される風量が、前記第１のモードにおいて選択される風量より小さいかもしくはゼロとなることを特徴とする、
請求項２または３に記載のヘアドライヤー。
【請求項５】
前記第２のモードにおいて選択される熱量が、前記第１のモードにおいて選択される熱量より小さいかもしくはゼロとなることを特徴とする、
請求項２乃至４の何れかに記載のヘアドライヤー。
【請求項６】
前記赤外線放射源が、ハロゲンランプもしくはカーボンランプであることを特徴とする、
請求項１乃至５の何れかに記載のヘアドライヤー。
【考案の詳細な説明】
【技術分野】
【０００１】
本考案は、赤外線放射機能を備えるドライヤーに関する。
【背景技術】
【０００２】
付加的機能として赤外線放射機能を備えるドライヤーが提案されている（特許文献１）。赤外線のうち特に波長の長い遠赤外線には対象物を内部から暖める作用があることが知られており、この作用をドライヤーに応用することで毛髪や頭皮を内部から乾かし、熱風によるダメージから保護することが期待されている。
【先行技術文献】
【特許文献】
【０００３】
【特許文献１】特開２０１４−２３３５０８号公報
【考案の概要】
【考案が解決しようとする課題】
【０００４】
赤外線を毛髪や頭皮に効果的に作用させるためには熱風の温度および風量とのバランスを考慮しなければならない。赤外線は発生源からの距離の二乗に反比例して効果が弱まることが知られている。熱風の程度によってはドライヤーを人体に近づけることができないこともあり、その場合は効果が期待できないことになる。従って、赤外線放射機能を備えるドライヤーを有効的に活用するためには、あまり知識のない使用者であっても簡単に操作ができる機構を組み込むことが重要な課題となる。
【０００５】
本考案は、赤外線放射機能による効果を簡便に享受することができるヘアドライヤーを提供することを目的とする。
【課題を解決するための手段】
【０００６】
前述した課題を解決するため、本考案は以下に示す要素によって構成されるヘアドライヤーを提供する。
【０００７】
ヘアドライヤーの第１の態様は、吸入口から送風口に向けて空気の流れを形成する送風源と、前記吸入口から前記送風口に向けて流れる空気を加熱する熱源と、前記送風口に向けて放射する赤外線放射源と、前記送風源および前記熱源、前記赤外線放射源の動作パターンを選択するモード選択スイッチとを備えることを特徴とする。
【０００８】
ヘアドライヤーの第２の態様は、前記第１の態様において、前記モード選択スイッチが、前記送風源および前記熱源のみの動作パターンを選択する第１のモードと、前記前記送風源および前記熱源、前記赤外線放射源の動作パターンを選択する第２のモードを備えることを特徴とする。
【０００９】
ヘアドライヤーの第３の態様は、前記第２の態様において、前記赤外線放射源が、前記第１のモードにおいて通電がＯＦＦとなり、前記第２のモードにおいて通電がＯＮとなることを特徴とする、
【００１０】
ヘアドライヤーの第４の態様は、前記第２または第３の態様において、前記第２のモードにおいて選択される風量が、前記第１のモードにおいて選択される風量より小さいかもしくはゼロとなることを特徴とする。
【００１１】
ヘアドライヤーの第５の態様は、前記第２乃至第４の何れかの態様において、前記第２のモードにおいて選択される熱量が、前記第１のモードにおいて選択される熱量より小さいかもしくはゼロとなることを特徴とする。
【００１２】
ヘアドライヤーの第６の態様は、前記第１乃至第５の何れかの態様において、前記赤外線放射源が、ハロゲンランプもしくはカーボンランプであることを特徴とする。
【考案の効果】
【００１３】
前述したヘアドライヤーの構成により、本考案は以下の効果を奏する。
【００１４】
ヘアドライヤーの第１の態様によれば、モード選択スイッチを切り替えるだけで送風源および熱源、赤外線放射源の動作パターンを選択することができるため、各モードに対応して予め最適な動作パターンを設定しておくことにより簡単操作で赤外線による効果を享受することができるようになる。
【００１５】
ヘアドライヤーの第２の態様によれば、一般的なドライヤーとして使用するためのモードと赤外線効果を得るための使用となるモードを簡単に選択することができるため、操作系が複雑にならず誰でも簡単に使いこなすことができるようになる。
【００１６】
ヘアドライヤーの第３の態様によれば、赤外線放射のＯＮまたはＯＦＦがモードの選択と連動して自動的に行われるため、不必要なときまで赤外線照射を行うことを予防し、過電流や過熱による事故を未然に防止することができる。
【００１７】
ヘアドライヤーの第４の態様によれば、赤外線照射モードを選択したときに風量が自動的に弱まるため、頭皮や地肌に近づけたときの不快感や過度の乾燥を避けることができるようになる。
【００１８】
ヘアドライヤーの第５の態様によれば、赤外線照射モードを選択したときに熱量が自動的に弱まるため、赤外線による効果を得るために頭皮や地肌に近づけても熱さを感じることがなくなる。
【図面の簡単な説明】
【００１９】
【図１】ヘアドライヤーの外観図
【図２】各モードの動作パターンを示す説明図
【考案を実施するための形態】
【００２０】
以下、添付した図面を参照して本考案の実施の形態について説明する。最初にヘアドライヤーの基本的な構造について説明する。図１に示すヘアドライヤー１０は、本体部となる筒型の筐体１２の一方の端部に吸入口１４、他方の端部に送風口１６を備える。筐体１２の吸入口１４側には折りたたみ式の持ち手部１８が装着されている。持ち手部１８は片手で握りやすいように曲面をあしらった細長い形状をしており、その一方の端部が筐体１２の下側に突出した連結部２０に軸（図示せず）を介して回動可能に固定されている。持ち手部１８の他方の端部には連結部２２を介して電源コード２４が接続されている。持ち手部１８は本体部に対して変位可能であり、使用時には他方の端部が本体部から離反する位置に変位し、収納時には本体部に近接する位置すなわち折りたたみ位置に変位する。
【００２１】
筐体１２の内側には、熱源と送風源と赤外線放射源と安全装置と付加機能装置が適宜配置されている。熱源としてはニクロム線を使用し、ニクロム線に電気を流すことで熱を発生させる。送風源としては小型モータによって駆動するファンを使用し、ファンの駆動により吸入口１４から吸入した空気を送風口１６から吐出する空気の流れを形成させる。赤外線放射源としてはハロゲンランプを使用する。ハロゲンランプから放射される光は近赤外線領域の９００ｎｍから１，６００ｎｍ付近にピークを有する。近赤外線領域での水分子の吸収スペクトルは９６０ｎｍ付近をピークに近赤外線領域を広く覆っているため、ハロゲンランプから電磁波の形で放射されたエネルギーが効率よく水分子に吸収される。水分子に吸収されたエネルギーは熱振動に変換され水分を含む対象物を加熱するため、人体への局所暖房としての役割が果たされる。
【００２２】
安全装置は、ショートによる過電流などが起きた場合にサーモスタットや温度ヒューズ等によって電源を切断する。また温度が急激に上がり過ぎないように温度過昇自動防止機能などを付加することもできる。付加機能装置は、マイナスイオン、オゾン、水蒸気（ミスト）など毛髪や頭皮を保護したり育毛を助長させる機能を有している。
【００２３】
送風口１６の内側には集風ノズル２６が装着されている。集風ノズル２６は、送風口１６の開口縁部が形成する面と略同一平面上もしくは内側に位置し、装着した状態において送風口１６の外側に突出しないようになっている。集風ノズル２６は、ヘアドライヤー１０の使用状況に応じて着脱可能であり、装着したままの状態で自由な角度に回転変位させることが可能である。集風ノズル２６の中央にはハロゲンランプの照射口２８が設けられている。
【００２４】
次にヘアドライヤー１０の操作方法について説明する。ヘアドライヤー１０の持ち手部１８にはスライド式の操作スイッチ３０が設けられている。ヘアドライヤー１０には３つのモードが用意されており、操作スイッチ３０をスライドさせるだけで好みのモードを簡単に選択できるようになっている。
【００２５】
操作スイッチ３０を「ＯＦＦ」の位置から一段上の「ＬＯＷ」モードの位置にスライドさせると、熱源と送風源への通電がＯＮとなり、比較的穏やかな温度と風量の熱風が送風口１６より吹き出す。このとき付加機能のマイナスイオン発生装置への通電はＯＮとなり、ハロゲンランプへの通電はＯＦＦである。操作スイッチ３０を「ＬＯＷ」モードの位置からさらに一段上の「ＨＩＧＨ」モードの位置にスライドさせると、比較的高めの温度と強めの風量の熱風が送風口１６より吹き出す。熱量と風量はＬＯＷモードのときより増大しているが、マイナスイオンとハロゲンランプはＬＯＷモードのときと同じである。
【００２６】
操作スイッチ３０を「ＨＩＧＨ」モードの位置からさらに一段上の「ＳＫＩＮ」モードの位置にスライドさせると、熱源はＯＦＦとなり、送風源はＯＮのままであるがＬＯＷモードのときよりさらに弱い微弱な風量となる。マイナスイオンはＯＮのままである。熱源がＯＦＦとなる代わりにハロゲンランプがＯＮとなり、赤外線放射が開始する。
【００２７】
「ＬＯＷ」モードは中程度の温度と中程度の風との組み合わせとなり、ヘアセットなどの使用に適している。「ＨＩＧＨ」モードは高めの温度と強い風の組み合わせとなり、髪を素早く乾かすときの使用に適している。「ＳＫＩＮ」モードは髪の仕上げ乾燥やセット時、肌ケアなどの使用に適している。「ＳＫＩＮ」モードへの切り替えは操作スイッチ３０をスライドさせるだけの簡単操作であり、また自動的に熱量、風量ともに減少もしくはＯＦＦとなるため、頭皮や地肌に近づけて赤外線による効果を享受することができる。
【００２８】
操作スイッチ３０の上方には温冷切替ボタン３２および表示ランプ３４が設けられている。温冷切替ボタン３２は熱源のＯＮまたはＯＦＦを切り替えるときに操作し、温モード（熱源ＯＮ）のときには表示ランプ３４がオレンジ色に点灯し、冷モード（熱源ＯＦＦ）のときにはブルー色に点灯する。なお「ＳＫＩＮ」モードのときには表示ボタン３４は点灯しない。
【符号の説明】
【００２９】
１０  ヘアドライヤー
１２  筐体（本体部）
１４  吸入口
１６  送風口
１８  持ち手部
２４  電源コード
２６  集風ノズル
３０  操作スイッチ
【図１】
0003203509.tif 000003
【図２】
0003203509.tif 000004